(57)【特許請求の範囲】
【請求項１】
垂直面に沿って循環経路を移動する駐輪台が、その移動方向に対し直交する水平方向に並列する複数の自転車支持台を備え、各自転車支持台には、自転車の前輪が嵌合する前輪支持部が設けられている駐輪設備において、各自転車支持台の前輪支持部に、水平支軸の周りに揺動自在に軸支され且つ前輪当接部と被検出部とを備えた可動部材が設けられ、この可動部材を、その前輪当接部が前輪支持部内に突出する待機姿勢に付勢保持する付勢手段が設けられ、各可動部材の前記被検出部は、１つの駐輪台上の全ての前記可動部材が、その前輪当接部が前輪支持部内に嵌合した自転車前輪によって押されて前記付勢手段の付勢力に抗して作用姿勢に切り換わったとき、駐輪台を循環経路の横側方から見たときに各可動部材の前記被検出部が互いに重ならないで且つ個別に視認できるように配設され、前記循環経路中の横側方には、定位置で停止した駐輪台の各可動部材に対応して、作用姿勢にある可動部材の前記被検出部を個別に検出する検出手段が配設されている、駐輪設備の在荷検出装置。
【請求項２】
前記自転車支持台として、前輪支持部の高さが低い複数の低位自転車支持台と前輪支持部の高さが高い複数の高位自転車支持台とが並列設置され、各低位自転車支持台の前輪支持部には、その被検出部の位置が異なる前記可動部材が取り付けられ、各高位自転車支持台の前輪支持部には、低位自転車支持台に取り付けられた可動部材と同一の、その被検出部の位置が異なる前記可動部材が取り付けられ、全ての自転車支持台の可動部材が前記作用姿勢にある状態を前記循環経路の横側方から見たとき、全ての可動部材の前記被検出部が互いに重ならないで且つ個別に視認できるように構成されている、請求項１に記載の駐輪設備の在荷検出装置。
【請求項３】
自転車支持台は、自転車の車輪が転動自在に嵌合する上側開放の溝形のレール部材によって構成されると共に、前端に一段低くなった前輪支持部を備え、前記可動部材は、前記レール部材の内側に嵌合すると共に、その長さ方向の中間位置が、前記前輪支持部の後端角部に水平支軸でシーソー運動自在に軸支され、当該可動部材の前輪支持部側の底板部が前記前輪当接部を構成すると共に、当該可動部材の後端部から上向きに連設された側板部によって前記被検出部が構成され、前記可動部材が作用姿勢になったとき、前記被検出部が、自転車支持台と自転車前輪との間の入隅空間内に突出するように構成された、請求項１又は２に記載の駐輪設備の在荷検出装置。
【請求項４】
前記可動部材は、自転車前輪が嵌合通過できる上側開放の溝形材で構成され、その底板部の長さ方向中央部から下向きに突設された軸受け部材が、前記レール部材の前輪支持部の後端角部の底板部に設けられた開口部から下方に突出して、当該レール部材の外側に取り付けられた軸受け板に水平支軸により軸支され、前記付勢手段は、前記可動部材の底板部の後端部下側に取り付けられた重錘で構成され、前記レール部材の底板部には、前記重錘が上下に嵌脱自在な開口部が設けられている、請求項３に記載の駐輪設備の在荷検出装置。
【請求項５】
前記可動部材の被検出部を構成する側板部には、他の自転車支持台の可動部材の被検出部と側面視において重なる箇所において切欠き凹部が形成されている、請求項３または４に記載の駐輪設備の在荷検出装置。
【発明の詳細な説明】
【技術分野】
【０００１】
本発明は、循環経路を回動する各駐輪台が複数台の自転車を並列状態で支持するタイプの駐輪設備における在荷検出装置に関するものである。
【背景技術】
【０００２】
駐輪台の循環経路が縦長で、その上下両端部に軸支された各１つの大径の案内輪間に無端状駆動索が掛張され、この無端状駆動索に、複数台の自転車が並列状態で支持される駐輪台が等間隔おきに吊り下げられた構成の縦長垂直循環型駐輪設備では、垂直な昇降経路部の下端に設定された自転車入出庫用停止位置で停止する駐輪台上の並列設置された各自転車支持部に対応させて、その各自転車支持部に支持される自転車の前輪の左右両側に配置した光電センサーなどの検出手段により、自転車支持部ごとの自転車の有無を検出するように構成した在荷検出装置が一般的に知られている。このような構成の在荷検出装置が採用できるのは、当該在荷検出装置の検出手段を、循環経路を移動する駐輪台やその上に支持されている自転車と干渉しない位置に配置することが容易であることに起因している。しかしながら、駐輪設備の機高を低くして、既設建造物の上下の床版間、例えば高架線路下、高架道路下、ビルの任意の階層などに設置することが出来るような駐輪設備を構成しようとすると、例えば特許文献１に記載されるように、四隅に軸支された小径の案内輪に無端状駆動索を掛張して構成した、垂直面に沿った角型循環経路を各駐輪台が回動するように構成された駐輪設備を、その上下両水平経路部を長くすると共に両端の上下方向経路部を、例えば駐輪台間の間隔に等しい位に短くして、水平横長角型の循環経路を各駐輪台が回動するように構成することになる。
【先行技術文献】
【特許文献】
【０００３】
【特許文献１】特開昭５５−１３３７０号公報
【発明の概要】
【発明が解決しようとする課題】
【０００４】
上記のように水平横長角型の循環経路を各駐輪台が回動するように構成された駐輪設備では、その下側水平経路部と片側の上下方向経路部との間の角部に自転車入出庫用停止位置が設定され、この自転車入出庫用停止位置で停止する駐輪台上で支持される自転車の前輪が、前記下側水平経路部側に隣り合う駐輪台のある側に位置することになる。従って、この自転車入出庫用停止位置に停止した駐輪台上の並列する各自転車支持部上の自転車の有無を、従来の縦長垂直循環型駐輪設備に採用されているような構成の在荷検出装置によって検出しようとすると、当該在荷検出装置を構成する光電センサーなどの各検出手段が、下側水平経路内に配置されることになり、当該下側水平経路部を移動する駐輪台と干渉することになるので、実施することが出来ない。勿論、床面側に配設した検出手段により在荷検出を行うことも考えられるが、当該検出手段に光電センサーを使用する場合、当該光電センサーの投受光部が上向きになるので汚損し易いばかりでなく、高精度の検出が困難である。
【課題を解決するための手段】
【０００５】
本発明は、上記のような従来の問題点を解消することのできる駐輪設備の在荷検出装置を提案するものであって、本発明に係る駐輪設備の在荷検出装置は、後述する実施例との関係を理解し易くするために、当該実施例の説明において使用した参照符号を括弧付きで付して示すと、垂直面に沿って循環経路を移動する駐輪台(1)が、その移動方向に対し直交する水平方向に並列する複数の自転車支持台(14A〜15B)を備え、各自転車支持台(14A〜15B)には、自転車(C)の前輪(Cf)が嵌合する前輪支持部(16a)が設けられている駐輪設備において、各自転車支持台(14A〜15B)の前輪支持部(16a)に、水平支軸(44)の周りに揺動自在に軸支され且つ前輪当接部(36,38)と被検出部(37,40)とを備えた可動部材(32,33)が設けられ、この可動部材(32,33)を、その前輪当接部(36,38)が前輪支持部(16a)内に突出する待機姿勢に付勢保持する付勢手段(35)が設けられ、各可動部材(32,33)の前記被検出部(37,40)は、１つの駐輪台(1)上の全ての前記可動部材(32,33)が、その前輪当接部(36,38)が前輪支持部(16a)内に嵌合した自転車前輪(Cf)によって押されて前記付勢手段(35)の付勢力に抗して作用姿勢に切り換わったとき、駐輪台(1)を循環経路の横側方から見たときに各可動部材(32,33)の前記被検出部(37,40)が互いに重ならないで且つ個別に視認できるように配設され、前記循環経路中の横側方には、定位置で停止した駐輪台(1)の各可動部材(32,33)に対応して、作用姿勢にある可動部材(32,33)の前記被検出部(37,40)を個別に検出する検出手段(46〜49)が配設された構成となっている。
【発明の効果】
【０００６】
上記本発明の構成によれば、循環経路上の定位置で停止した駐輪台上の並列する各自転車支持台上における自転車の有無を、各自転車支持台別に、駐輪台の循環経路脇に設けられた各自転車支持台に対応する検出手段（例えば光電センサー）によって確実に検出することが出来る。従って、先に説明したような水平横長角型の循環経路を各駐輪台が回動するように構成された駐輪設備であって、その下側水平経路部と片側の上下方向経路部との間の角部に自転車入出庫用停止位置が設定され、この自転車入出庫用停止位置で停止する駐輪台上で支持される自転車の前輪が、前記下側水平経路部側に隣り合う駐輪台のある側に位置する状況においても、その自転車入出庫用停止位置で停止した駐輪台上の並列する各自転車支持台上の自転車の有無を光電センサーなどの検出手段により確実に検出することが出来る。勿論、光電センサーなどの検出手段は、駐輪台上ではなく、駐輪台の循環経路の横側方に配設するのであるから、駐輪台の台数に関係なく１セットの検出手段を使用すれば良く、移動する駐輪台上に設ける場合よりも配線系の構成が極めて簡単になる。又、検出手段として光電センサーを使用する場合、床面側に上向きに光電センサーを配設する場合と比較して、光電センサーの投受光部の汚損の恐れが極減し、常に高精度の在荷検出が行える。
【０００７】
尚、上記本発明を実施する場合、具体的には請求項２に記載のように、前記自転車支持台(14A〜15B)として、前輪支持部(16a)の高さが低い複数の低位自転車支持台(14A,14B)と前輪支持部(16a)の高さが高い複数の高位自転車支持台(15A,15B)とを並列設置し、各低位自転車支持台(14A,14B)の前輪支持部(16a)には、その被検出部(37,40)の位置が異なる前記可動部材(32,33)を取り付け、各高位自転車支持台(15A,15B) の前輪支持部(16a)には、低位自転車支持台(14A,14B)に取り付けられた可動部材(32,33)と同一の、その被検出部(37,40)の位置が異なる前記可動部材(32,33)を取り付け、全ての自転車支持台(14A〜15B)の可動部材(32,33)が前記作用姿勢にある状態を前記循環経路の横側方から見たとき、全ての可動部材(32,33)の前記被検出部(37,40)が互いに重ならないで且つ個別に視認できるように構成することが出来る。
【０００８】
この構成によれば、１つの駐輪台上に並列設置される自転車支持台の台数に対して、各自転車支持台に取り付けられる前記可動部材の種類を半減させることが出来、コストダウンを図ることが出来る。
【０００９】
又、請求項３に記載のように、自転車支持台(14A〜15B)は、自転車(C)の車輪が転動自在に嵌合する上側開放の溝形のレール部材(16)によって構成すると共に、前端に一段低くなった前輪支持部(16a)を設け、前記可動部材(32,33)は、前記レール部材(16)の内側に嵌合させると共に、その長さ方向の中間位置を、前記前輪支持部(16a)の後端角部に水平支軸(44)でシーソー運動自在に軸支し、当該可動部材(32,33)の前輪支持部(16a)側の前端底板部(32a,33a)を前記前輪当接部(36,38)に構成すると共に、当該可動部材(32,33)の後端部から上向きに連設された側板部(32b,33b)によって前記被検出部(37,40)を構成し、前記可動部材(32,33)が作用姿勢になったとき、前記被検出部(37,40)が、自転車支持台(14A〜15B)と自転車前輪(Cf)との間の入隅空間内に突出するように構成することが出来る。
【００１０】
この構成によれば、自転車を自転車支持台に乗せていないときは、前記可動部材の前端側の前輪当接部から後端側の被検出部までの殆ど全体を、自転車支持台を構成するレール部材の内側に収納した状態として保護することが出来、しかも、自転車を自転車支持台に乗せたときは、当該自転車支持台と自転車との間の空間内に前記可動部材の被検出部が突出することになって、やはり、自転車支持台とその上の自転車を含む全体の輪郭から前記可動部材の被検出部が突出することは避けられる。従って、前記自転車支持台の前輪支持部の前端側に前記可動部材を軸支して、その被検出部が自転車支持台の前端から斜め前方上方に突出する構成と比較して、前記可動部材を含む自転車支持台全体が大型になる恐れがないばかりでなくはなく、前記可動部材に他物が衝突したりして破損するなどの恐れも極減する。
【００１１】
上記の構成を採用する場合、請求項４に記載のように、前記可動部材(32,33)は、自転車前輪(Cf)が嵌合通過できる上側開放の溝形材で構成し、その底板部(32a,33a)の長さ方向中央部から下向きに突設された軸受け部材(34)を、前記レール部材(16)の前輪支持部(16a)の後端角部の底面に設けられた開口部(41)から下方に突出させて、当該レール部材(16)の外側に取り付けられた軸受け板(43)に水平支軸(44)により軸支し、前記付勢手段は、前記可動部材(32,33)の底板部(32b,33b)の後端部下側に取り付けられた重錘(35)で構成し、前記レール部材(16)の底板部には、前記重錘(35)が上下に嵌脱自在な開口部(42)を設けることが出来る。
【００１２】
この構成によれば、前記可動部材を薄板で構成しながら十分な曲げ強度を持たせることが出来、しかも、付勢手段としてバネを使用する場合と比較して、構造が簡単で所期の作用を常に確実に行わせることが出来る。又、前記可動部材の待機姿勢を決めるストッパーとして、前記レール部材の底板部をそのまま活用することが出来、別部材から成るストッパーを取り付けなければならない場合と比較して構造が簡単になる。
【００１３】
更に、請求項５に記載のように、前記可動部材(33)の被検出部(40)を構成する側板部(33b)には、他の自転車支持台の可動部材(32)の被検出部(37)と側面視において重なる箇所において切欠き凹部(39)を形成することが出来る。この構成によれば、同一高さに設置された複数台の自転車支持台に取り付けられる前記可動部材の被検出部が当該可動部材の長さ方向に位置が異なることになり、この可動部材の長さ方向に対し直角上下方向に被検出部の位置を変える構成と比較して、待機姿勢にある可動部材を前記レール部材の内側に収納する点や、作用姿勢にある可動部材の被検出部を前記レール部材とその上の自転車との間の空間内に収める点で影響が殆どなく、前記請求項３や４に記載の構成を実施するのに好都合である。
【図面の簡単な説明】
【００１４】
【図１】駐輪台が循環する横長角型の循環経路とその付帯手段を説明する中間省略の側面図である。
【図２】設備の縦断正面図である。
【図３】駐輪台の側面図である。
【図４】設備の要部の平面図である。
【図５】駐輪台上の低位自転車支持台を示す縦断側面図である。
【図６】駐輪台上の高位自転車支持台を示す縦断側面図である。
【図７】在荷検出用の第一可動部材が作用状態にあるときの要部の拡大縦断側面図である。
【図８】在荷検出用の第二可動部材が作用状態にあるときの要部の拡大縦断側面図である。
【図９】全てが作用状態にあるときの低位自転車支持台側の第一及び第二両可動部材と高位自転車支持台側の第一及び第二両可動部材を示す側面図である。
【図１０】Ａ図は第一可動部材の斜視図、Ｂ図は第二可動部材の斜視図、Ｃ図は各可動部材の軸支部の構造を示す縦断正面図である。
【発明を実施するための形態】
【００１５】
図１において、駐輪台１が循環移動する横長角型の循環経路は、前後水平向きの下側水平経路部２、前後水平向きの上側水平経路部３、及び両端の上下方向経路部４，５によって構成されている。両端の上下方向経路部４，５は、点対称形のもので、一方の上下方向経路部４は、下側水平経路部２の一端から直角上向きに延出する下側垂直経路部４ａと、この下側垂直経路部４ａの上端から内側へ４５度の角度で延出して上側水平経路部３の一端につながる上側傾斜経路部４ｂとから形成され、他方の上下方向経路部５は、上側水平経路部３の他端から直角下向きに延出する上側垂直経路部５ａと、この上側垂直経路部５ａの下端から内側へ４５度の角度で延出して下側水平経路部２の他端につながる下側傾斜経路部５ｂとから形成されている。
【００１６】
上記構成の横長角型の循環経路には、その各角部に同心状に左右一対軸支された案内輪６ａ〜６ｃ及び７ａ〜７ｃを介して当該循環経路に沿うように左右一対の無端状駆動索８が掛張されている。一方の上下方向経路部４の上端角部に軸支された左右一対の案内輪６ｃは、左右水平方向の駆動軸９の両端部と夫々チエン伝動手段１０を介して連動連結され、この駆動軸９を正逆任意の方向に回転駆動するモーター１１が設けられている。左右一対の無端状駆動索８としては、チエンやワイヤーロープなどが利用され、案内輪６ａ〜７ｃとしては、使用する無端状駆動索８に応じてスプロケットホイールやプーリーなどが利用される。
【００１７】
駐輪台１は、図２〜図４に示すように、左右一対の側枠１２の下端部間に左右水平方向の支持部材１３を前後一対架設した、正面形状が角Ｕ字形のもので、支持部材１３上に、前後方向向きに自転車Ｃをほぼ水平姿勢で支持する２台の低位自転車支持台１４Ａ，１４Ｂと、前後方向向きに自転車Ｃを前上がり傾斜姿勢で支持する２台の高位自転車支持台１５Ａ，１５Ｂが左右方向交互に且つ等間隔おきに据え付けられている。全ての自転車支持台１４Ａ〜１５Ｂは、図５及び図６に示すように、同一構造のレール部材１６を支持部材１３上に低位自転車支持台用の取付け部材１７と高位自転車支持台用の取付け部材１８を介して設置したものである。レール部材１６は、自転車Ｃの車輪を嵌合させて転動移動させることが出来る上側開放の溝形材から構成されたもので、一段低くなった前輪支持部１６ａ、中央連結部１６ｂ、及び一段低くなった後輪支持部１６ｃを、前端からこの順に備えている。前記前輪支持部１６ａは、自転車前輪Ｃの前輪Ｃｆを下側から支持する水平部と前輪Ｃｆの後側に当接する傾斜部とから成るもので、前輪Ｃｆを左右両側から挟んで垂直姿勢に保持すると共に当該前輪Ｃｆを前輪支持部１６ａの後側傾斜部との間で挟んで前後方向の位置決めをする、平面形状がＵ字形の前輪ガイド枠１６ｄが取り付けられている。
【００１８】
駐輪台１の左右一対の側枠１２には、夫々の下側辺の前後両端外側に、支持用車輪１９ａ，１９ｂが左右水平支軸により軸支されると共に、夫々の上端寄り中央位置の外側に、第三の支持用車輪も兼ねる１つの振れ止め用ローラー２０が左右水平支軸により軸支され、更に、夫々の上端中央位置の外側に、水平外向きに突出する連結軸２１が突設されている。尚、両側枠１２の支持用車輪１９ａ，１９ｂ、振れ止め用ローラー２０、及び連結軸２１は、互いに同心状に配設されると共に、図２に示すように、下端の支持用車輪１９ａ，１９ｂの位置よりも振れ止め用ローラー２０の位置が外側に張り出すと共に、この振れ止め用ローラー２０の位置よりも連結軸２１が外側へ突出している。上記構成の駐輪台１は、左右一対の無端状駆動索８に左右一対の連結軸２１を利用して無端状駆動索８の長さ方向等間隔おきに取り付けられ、当該連結軸２１の周りに前後揺動自在に吊り下げられている。
【００１９】
一方、横長角型の循環経路には、図１に示すように、上下各水平経路部２，３において各駐輪台１を、その下端の支持用車輪１９ａ，１９ｂを介して当該水平経路部２，３に沿って移動自在に支持する左右一対の支持用ガイドレール２２，２３が架設されている。而して、左右一対の無端状駆動索８の回動により、当該無端状駆動索８に等間隔おきに連結された各駐輪台１が横長角型の循環経路に沿って回動することになるが、水平経路部２，３を移動する各駐輪台１は、その支持用車輪１９ａ，１９ｂを介して支持用ガイドレール２２，２３に支持された状態で前後水平方向に移動する。両端の上下方向経路部４，５を昇降移動する駐輪台１は、無端状駆動索８によって吊り下げられた状態で昇降移動する。尚、この両端の上下方向経路部４，５の長さは、駐輪台１の間隔とほぼ等しい長さとして、上下方向経路部４，５には常に１台の駐輪台１のみが在席するように構成している。
【００２０】
図１に示すように、上側水平経路部３に架設された左右一対の支持用ガイドレール２３の両端の上下方向経路部４，５に接続する箇所には、昇降移動する駐輪台１の支持用車輪１９ａ，１９ｂや連結軸２１との干渉を避けるために、支持用ガイドレール２４が部分的に切欠された車輪通過用開口部２４ａ，２４ｂが設けられる。従って、支持用ガイドレール２３の両端部を前記支持用ガイドレール２３に支持されて水平に移動する駐輪台１の支持用車輪１９ａ又は１９ｂが前記車輪通過用開口部２４ａ，２４ｂに落ち込むのを防止するために、駐輪台１の左右一対の振れ止め用ローラー２０を利用して駐輪台１を移動自在に支持する支持用補助ガイドレール２５，２６が上側水平経路部３の両端部に架設されている。
【００２１】
又、両端の上下方向経路部４，５では、駐輪台１は無端状駆動索８に左右一対の連結軸２１を介して吊り下げられた状態で昇降移動するので、当該駐輪台１は、連結軸２１の周りに前後方向に揺動自在である。この昇降移動時の駐輪台１の前後揺動を防止するために、上下方向経路部４の全域と上下方向経路部５の上側垂直経路部５ａには、駐輪台１の左右一対の振れ止め用ローラー２０を介して当該駐輪台１の前後揺動を防止する振れ止め用ガイドレール２７ａ，２７ｂ及び２８が配設されている。
【００２２】
図１に示すように、上下方向経路部４の外側には、設備を囲む垂直な壁構造体の一部分となる扉枠２９が立設されている。この扉枠２９は、特許文献などによって従来周知のものであって、下側水平経路部２の上下方向経路部４側の端部、即ち、駐輪台１の連結軸２１が案内輪６ａの軸心真下に位置する自転車入出庫用停止位置Ａで停止した駐輪台１に対する自転車入出庫口３０と、この自転車入出庫口３０を、駐輪台１上で並列する複数台(図示例では４台)の自転車支持台１４Ａ〜１５Ｂの各々に対向する自転車通過エリアごとに分けて択一的に開くことが出来る開閉扉３１を備えている。
【００２３】
以上のように構成された立体駐輪設備において、自転車Ｃの入出庫時には、その入出庫対象の１つの駐輪台１を自転車入出庫用停止位置Ａに呼び出すべく、モーター１１を稼動させ、駆動軸９及び左右一対のチエン伝動手段１０を介して上下方向経路部４の上端角部の案内輪６ｃを回転駆動し、左右一対の無端状駆動索８を横長角型の循環経路に沿って正転又は逆転駆動する。そして、入出庫対象の駐輪台１が自転車入出庫用停止位置Ａに達したとき、モーター１１による無端状駆動索８の駆動を停止し、当該入出庫対象の駐輪台１を自転車入出庫用停止位置Ａに停止させる。自転車入出庫用停止位置Ａで停止した駐輪台１は、その真上の案内輪６ａの軸心の真下に連結軸２１が位置しており、当該駐輪台１は、駐輪台１が水平に移動する下側水平経路部２の一端に位置しているので、支持用車輪１９ａ，１９ｂは下側水平経路部２の支持用ガイドレール２２に支持された状態にある。又、自転車入出庫用停止位置Ａで停止した駐輪台１は、各自転車支持台１４Ａ〜１５Ｂの後輪支持部１６ｃが自転車入出庫口３０の内側に位置し、その前輪支持部１６ａは、自転車入出庫口３０のある側とは反対側の下側水平経路部２のある側に位置している。
【００２４】
而して、自転車入出庫用停止位置Ａに入出庫対象の駐輪台１が呼び出されて停止したならば、自転車入出庫口３０の開閉扉３１を開動制御して、自転車入出庫用停止位置Ａで停止する入出庫対象の駐輪台１上の複数台の自転車支持台１４Ａ〜１５Ｂの内、入出庫対象の１つの自転車支持台に対応する、自転車入出庫口３０の特定の自転車通過エリアのみを開き、出庫の場合は、自転車入出庫口３０の開かれた特定のエリアを利用して、当該開かれた特定の自転車通過エリアの奥に位置する１つの自転車支持台上から出庫対象の自転車Ｃを自転車入出庫口３０の外に引き出す。入庫の場合は、自転車入出庫口３０の開かれた特定の自転車通過エリアを利用して、当該開かれた特定の自転車通過エリアの奥に位置する１つの自転車支持台上に自転車Ｃを挿入移載する。
【００２５】
上記の自転車入出庫作業に際して行われる開閉扉３１の自動制御や、設備全体の自転車預かり状況の管理などに、自転車入出庫用停止位置Ａに停止した入出庫対象の駐輪台１上の全ての自転車支持台１４Ａ〜１５Ｂごとの自転車の有無の検出、即ち、在荷検出が必要である。以下に、本発明による在荷検出装置の一実施例を図に基づいて説明する。
【００２６】
図４〜図６に示すように、駐輪台１上に並設された全ての自転車支持台１４Ａ〜１５Ｂには、在荷検出用の可動部材３２，３３が取り付けられている。ここで、低位自転車支持台１４Ａと高位自転車支持台１５Ａには、互いに同一構造の第一可動部材３２が取り付けられ、低位自転車支持台１４Ｂと高位自転車支持台１５Ｂには、互いに同一構造の第二可動部材３３が取り付けられている。第一及び第二各可動部材３２，３３は、図７、図８、及び図１０に示すように、各自転車支持台１４Ａ〜１５Ｂを構成しているレール部材１６の内側に遊嵌し且つ自転車Ｃの前輪Ｃｆを長さ方向に嵌合転動させることが出来る上側開放の溝形材で構成され、その底板部３２ａ，３３ａの前端から同一距離だけ離れたほぼ中央位置の外側には門形の軸受け部材３４が下向きに固着突設されると共に、当該軸受け部材３４から後端側に同一距離だけ離れた底板部３２ａ，３３ａの外側には、重錘３５が固着されている。
【００２７】
第一可動部材３２は、その底板部３２ａの前端部が自転車前輪Ｃｆによって押し下げられる前輪当接部３６を構成すると共に、左右両側板部３２ｂの後端部が被検出部３７を構成している。又、第二可動部材３３は、第一可動部材３２と同様に、その底板部３３ａの前端部が自転車前輪Ｃｆによって押し下げられる前輪当接部３８を構成するものであるが、重錘３５の取り付け位置から後端までの長さが第一可動部材３２よりも長いもので、第一可動部材３２と第二可動部材３３とを、その軸受け部材３４の軸孔が同心状になるように並列させたとき、側面視において、第一可動部材３２の前記被検出部３７と重なる箇所において左右両側板部３３ｂに切欠き凹部３９が上側辺から切欠形成され、当該左右両側板部３３ｂの前記切欠き凹部３９と後端までの間の部分が被検出部４０を構成している。
【００２８】
各自転車支持台１４Ａ〜１５Ｂのレール部材１６の底板部には、前輪支持部１６ａの後端角部、即ち、前輪支持部１６ａの後側傾斜部と中央連結部１６ｂとの間の角部に、可動部材３２，３３の軸受け部材３４が遊嵌する軸受け用開口部４１が設けられると共に、中央連結部１６ｂには、可動部材３２，３３の重錘３５が遊嵌する重錘用開口部４２が設けられている。又、レール部材１６の前輪支持部１６ａの後端角部の外側には、左右一対の軸受け板４３が下向きに固着突設されている。而して、各可動部材３２，３３は、その前端側の前輪当接部３６，３８が前輪支持部１６ａ側に位置する向きでレール部材１６内に嵌合されると共に、その軸受け部材３４が開口部４１からレール部材１６の下側に突出され、当該軸受け部材３４とその左右両側に隣接するレール部材１６側の左右一対の軸受け板４３とが、水平支軸４４によって軸支連結され、各可動部材３２，３３が水平支軸４４の周りにシーソー運動可能に構成されている。
【００２９】
上記のようにレール部材１６に取り付けられた各可動部材３２，３３は、後端側の重錘３５に作用する重力により後端が下がる方向に付勢されているので、図５、図６、及び図７と図８の仮想線で示すように、その重錘３５がレール部材１６側の前記開口部４２に嵌合して、各可動部材３２，３３の底板部３２ａ，３２ｂの後端側が中央連結部１６ｂの底板部上に当接する待機姿勢に保持されることになる。この状態では、各可動部材３２，３３の前端部がレール部材１６の前輪支持部１６ａ（後側傾斜部）から前方に突出するだけで、各可動部材３２，３３の大部分はレール部材１６の内側に収納されている。
【００３０】
各自転車支持台１４Ａ〜１５Ｂのレール部材１６上に自転車Ｃが挿入され、その前輪Ｃｆが前輪支持部１６ａに嵌合支持されて、当該前輪支持部１６ａの後側傾斜部と前輪ガイド枠１６ｄとの間で位置決めされた状態では、図７及び図８に示すように、各可動部材３２，３３の前端側の前輪当接部３６，３８が前輪支持部１６ａに嵌合支持されている前輪Ｃｆによって、重錘３５の重力、即ち、下向きの付勢力に抗して押し下げられ、各可動部材３２，３３は、その底板部３２ａ，３３ａの前端側が前輪支持部１６ａ（後側傾斜部）の底板部に当接する作用姿勢に切り換えられている。この作用姿勢にある可動部材３２，３３は、後端側の重錘３５がレール部材１６側の重錘用開口部４２から上方に脱出すると共に、両側板部３２ｂ，３３ｂで構成された被検出部３７，４０が、レール部材１６の中央連結部１６ｂより上側に突出している。この作用姿勢にある各可動部材３２，３３の被検出部３７，４０は、自転車支持台１４Ａ〜１５Ｂに支持された自転車Ｃの前輪Ｃｆと、自転車支持台１４Ａ〜１５Ｂのレール部材１６（中央連結部１６ｂ）との間に形成される入隅部内で且つ、当該レール部材１６（中央連結部１６ｂ）と自転車Ｃとの間の空間内に位置しており、横側方から視認できる状態にある。
【００３１】
一方、図４に示すように、駐輪台１が循環移動する循環経路中の自転車入出庫用停止位置Ａには、前記各可動部材３２，３３と共に在荷検出装置を構成する検出手段４５が併設されている。この検出手段４６は、図９にも示すように、自転車入出庫用停止位置Ａに停止した駐輪台１の各自転車支持台１４Ａ〜１５Ｂに取り付けられた前記可動部材３２，３３が作用姿勢にあるとき、各可動部材３２，３３の被検出部３７，４０によって光軸が遮断されるように、各自転車支持台１４Ａ〜１５Ｂに対応して設けられた４組の透過型光電センサー４６〜４９から構成されている。各光電センサー４６〜４９は、投光器４６ａ〜４９ａと受光器４６ｂ〜４９ｂとの組み合わせからなり、これら投光器４６ａ〜４９ａと受光器４６ｂ〜４９ｂが自転車入出庫用停止位置Ａの左右両側の固定壁フレーム５０に取り付けられることになるが、同一高さにある低位自転車支持台１４Ａ，１４Ｂ（又は高位自転車支持台１５Ａ，１５Ｂ）に取り付けられている第一可動部材３２と第二可動部材３３の被検出部３７，４０を検出する２組の光電センサー４６，４７（又は４８，４９）の光軸は非常に接近することになるので、誤動作を避けるために、図９に示すように、投光器と受光器の配置を逆にすることが望ましい。
【００３２】
上記構成の在荷検出装置によれば、自転車入出庫用停止位置Ａに駐輪台１が停止したとき、各光電センサー４６〜４９を動作ＯＮに切り換えることにより、各光電センサー４６〜４９の受光器４６ｂ〜４９ｂのＯＮ，ＯＦＦ状態から自転車支持台１４Ａ〜１５Ｂごとの自転車Ｃの有無、即ち、在荷状態を検出することが出来る。即ち、自転車支持台１４Ａ〜１５Ｂの内、自転車Ｃが支持されている自転車支持台の可動部材３２又は３３は、前記のように作用姿勢に切り換わっていて、その被検出部３７又は４０が、当該自転車Ｃが支持されている自転車支持台の可動部材３２又は３３に対応する光電センサー４６〜４９の光軸を遮断し、受光器４６ｂ〜４９ｂはＯＦＦ状態であるから、この受光器４６ｂ〜４９ｂのＯＦＦ状態から当該自転車支持台は在荷状態であると判別し、逆に、自転車支持台１４Ａ〜１５Ｂの内、自転車Ｃが支持されていない空の自転車支持台の可動部材３２又は３３は、前記のように待機姿勢のままであって、その被検出部３７又は４０はレール部材１６内に収納されているので、当該空の自転車支持台の可動部材３２又は３３に対応する光電センサー４６〜４９の光軸は遮断されずに受光器４６ｂ〜４９ｂに入光され、当該受光器４６ｂ〜４９ｂはＯＮ状態となるから、この受光器４６ｂ〜４９ｂのＯＮ状態から当該自転車支持台は空状態であると判別することが出来る。
【００３３】
尚、図９に示すように、同一高さにある低位自転車支持台１４Ａ，１４Ｂ又は高位自転車支持台１５Ａ，１５Ｂに取り付けられている第二可動部材３３が作用姿勢にあるとき、第一可動部材３２の被検出部３７を検出する光電センサー４６，４８の光軸は、第二可動部材３３の側板部３３ｂに設けられた切欠き凹部３９内を通過し、当該第二可動部材３３の側板部３３ｂによって遮断されることはないので、第一可動部材３２の被検出部３７を検出する光電センサー４６，４８は、第一可動部材３２が作用姿勢にあるか否か、即ち、第一可動部材３２を備えた自転車支持台１４Ａ又は１５Ａが在荷状態であるか否かを確実に検出することが出来る。
【００３４】
尚、駐輪台１上に４台の自転車支持台１４Ａ〜１５Ｂを並列設置したが、自転車支持台の台数はこの４台に限定されない。又、各自転車支持台１４Ａ〜１５Ｂの構造も上記実施例のものに限定されない。更に、検出手段として、投光器と受光器を相対向させて配設する透過型の光電センサーを使用しているが、各可動部材３２，３３の被検出部３７，４０を光線の反射面として使用する反射型の光電センサーを使用することも可能である。
【産業上の利用可能性】
【００３５】
本発明の立体駐輪設備の在荷検出装置は、特に既設建造物のスラブ下空間、例えば高架線路下空間、高架道路下空間、ビルの任意の階層空間などに設置するのに好適な、機高の低いタイプの立体駐輪設備において、駐輪台上に並列設置された自転車支持台ごとの自転車の有無を検出する手段として活用出来る。
【符号の説明】
【００３６】
Ａ    自転車入出庫用停止位置
Ｃ    自転車
１    駐輪台
２    下側水平経路部
３    上側水平経路部
４，５    上下方向経路部
４ａ，５ａ    垂直経路部
４ｂ，５ｂ    傾斜経路部
６ａ〜６ｃ及び７ａ〜７ｃ    案内輪
８    無端状駆動索
９    駆動軸
１０    チエン伝動手段
１１    モーター
１２    側枠
１３    支持部材
１４Ａ，１４Ｂ    低位自転車支持台
１５Ａ，１５Ｂ    高位自転車支持台
１６    レール部材
１６ａ    前輪支持部
１６ｂ    中央連結部
１６ｃ    後輪支持部
１６ｄ    前輪ガイド枠
１９ａ，１９ｂ    支持用車輪
２０    振れ止め用ローラー
２１    連結軸
２２，２３    支持用ガイドレール
３０    自転車入出庫口
３１    開閉扉
３２，３３    可動部材
３２ａ，３３ａ    可動部材の底板部
３２ｂ，３３ｂ    可動部材の左右両側板部
３４    軸受け部材
３５    重錘（付勢手段）
３６，３８    可動部材の前輪当接部
３７，４０    可動部材の被検出部
３９    切欠き凹部
４１    軸受け用開口部
４２    重錘用開口部
４３    左右一対の軸受け板
４４    水平支軸
４５    検出手段
４６〜４９    透過型光電センサー
４６ａ〜４９ａ    投光器
４６ｂ〜４９ｂ    受光器
５０    固定壁フレーム
【図１】
0005652703.tif 000002
【図２】
0005652703.tif 000003
【図３】
0005652703.tif 000004
【図４】
0005652703.tif 000005
【図５】
0005652703.tif 000006
【図６】
0005652703.tif 000007
【図７】
0005652703.tif 000008
【図８】
0005652703.tif 000009
【図９】
0005652703.tif 000010
【図１０】
0005652703.tif 000011